(57)【要約】【課題】  車両用シートに取固定自在に着脱可能にヘッドガートを設けるけることにより車両用シートにヘッドガードを着脱するのみで、自動車を道路交通法が適用される一般の公の道路においでも、速度の制限無く高速度で自動車サーット場においても、自由に安全にかつ適法に運転走行可能にする。【解決手段】  車両用シートのシートバッグの上端方向において乗車者の頭部の両側方向に対応する位置に、ヘッドガードを取付固定自在かつ着脱可能に設ける。【選択図】        図１
0003108274.tif 000002
【実用新案登録請求の範囲】
【請求項１】
車両用シートのシートバックの上端方向における乗車者の頭部の両側方向に対応する位置に、ヘッドガードを取付固定自在かつ着脱可能に設けてなることを特徴とする車両用シートのヘッドガード。
【請求項２】
車両用シートのシートバックの上端方向における乗車者の頭部の両側方向に対応する位置に、ヘッドガードを取付固定自在かつ着脱可能に設け、前記ヘッドガードの両端部が前記車両用シートのシートバックから乗車者の顔面と略同位置か若しくは若干顔面より前方の位置まで突出せしめてなることを特徴とする車両用シートのヘッドガード。
【請求項３】
車両用シートのシートバックの上端方向における乗車者の頭部の両側方向に対応する位置に、ヘッドガードを取付固定自在かつ着脱可能に設け、前記ヘッドガードの両端部を前記車両用シートのシートバックから乗車者の顔面と略同位置か若しくは若干顔面より前方の位置まで突出せしめ、前記ヘッドガードにより乗車者の頭部を両側方向から緩く挟み付け可能に設けてなることを特徴とする車両用シートのヘッドガード。
【請求項４】
ヘッドガードが、車両用シートのシートバックを外側方向から挟み込む状態に嵌合されてなる請求項１、２、又は３の車両用シートのヘッドガード。
【請求項５】
ヘッドガードは、全体の形状を略Ｕ字型に形成し、全周側縁に補強リブ体を突周設して断面略コ字状に設けてなる請求項１、２、３又は４の車両用シートのヘッドガード。
【請求項６】
車両用シートのシートバックの上端方向の外側面に固定用ボルトを突設し、ヘッドガードのシートバックへの取付側面に、ボルト挿入孔を穿孔し、前記シートバックの固定用ボルトをボルト挿入孔に挿入してヘッドガードを取付け、固定用ボルトにナットを締め付けて取付固定自在かつ着脱可能に設けてなる請求項１、２、３、４又は５の車両用シートのヘッドガード。
【請求項７】
車両用シートのシートバックの上端方向の外側面に中心部方向に固定用ボルトを突設した取付用凹部を凹設し、全周側縁に補強リブ体を突周設し内側全面に緩衝材を張着した断面略コ字状に設け全体の形状が略Ｕ字型に形成したヘッドガードのシートバックへの取付側面に、中心部方向にボルト挿入孔を穿孔し外側方向から内側方向へ凹設して内側面に嵌合凸部を外側面には嵌合凹部を設け、前記シートバックの取付用凹部に前記ヘッドガードの嵌合凸部を嵌合して固定用ボルトをボルト挿入孔に挿入し、シートバックの乗車者の頭部の両側方向に対応する位置に、ヘッドガードを取付け、固定用ボルトにナットを締め付けて取付固定自在かつ着脱可能に設け、前記ヘッドガードの両端部を前記車両用シートのシートバックから乗車者の顔面と略同位置か若しくは若干顔面より前方に突出した位置まで突出せしめてなることを特徴とする車両用シートのヘッドガード。
【請求項８】
固定用ボルトに、締め付けて固定自在かつ着脱可能に設けたナットが、袋ナットであり、かつ、締め付けて固定した袋ナットが、ヘッドガードに凹設した嵌合凹部から外方に突出しないように設けられなる請求項７の車両用シートのヘッドガード。
【請求項９】
車両用シートのシートバックの上端方向の外側面に突設した固定用ボルトが、ボルトの頭部に一体に設けた埋設固定用平板体をシートバックの肉厚内にし一体に埋設固定してなる請求項８の車両用シートのヘッドガード。
【請求項１０】
ヘッドガードが、全体の形状を略Ｕ字型に形成した棒状体からなる請求項１、２、３又は４の車両用シートのヘッドガード。
【請求項１１】
ヘッドガードが、プラスチック又は金属その他の強靱な資材により全体の形状を略Ｕ字型に形成し、全周側縁に補強リブ体を突周設して断面略コ字状に設け、該ヘッドガードには内側全面に緩衝材を張着し、その両端から任意の長さに１個又は複数の貫通溝を切欠し、または、その両端方向に１個又は複数の覗見用透孔を穿孔してなる請求項１、２、３又は４の車両用シートのヘッドガード。
【考案の詳細な説明】
【技術分野】
【０００１】
本考案は、自動車等の車両用シートのヘッドガードに関し、特に、１つの車両内に左右方向に２つの車両用シートが、個別に併設されている競走用自動車や、スポーツカータイプ等の自動車を、自動車サーキット場においても、安全に運転操縦可能とし、しかも、同時に道路交通法が適用される道路においても、法規基準に適合した車両として、適法かつ安全に運転可能とするために、ヘットガードを車両用シートのシートバッグに、簡単に取付取外可能とした車両用シートのヘッドガードに関するものである。
【背景技術】
【０００２】
従来から道路交通法が適用される公の道路上を走行する自動車等の一般車両には、安全に運転可能とするために、法規基準に適合した車両用シートが設備されており、走行する車両が如何なる状態に遭遇しても、乗車者の安全を確保することができるように、衝突事故等による強い衝撃力にも耐えうる強靱な資材と、衝撃を吸収可能な緩衝材を備えたシートバックがもけられているが、この種の車両用シートを設けた一般車両の中の競走用自動車や、スポーツカータイプ等の自動車は、道路交通法が適用される公の道路のみでなく、自動車サーキット場においても、自動車競争レースの競技として或いは、趣味や娯楽として速度制限無く安全に運転走行することが求められているが、この自動車サーキット場においては、時速１５０ｋｍ以上の高速走行を行うために自動車の安全な運転走行には、操縦者を含めた乗車者が、頭部を車両用シートのシートバックに固定した状態で身体姿勢を保持することが要求されるために、シートバックの上端方向に乗車者の頭部の両側面に対応した位置で、乗車者の頭部を両側方向から挟み付けて固定できるようなヘッドガードを設けた特別の車両用シートが提案されている。
【０００３】
しかしながら、従来の自動車サーキット場において速度の制限無く運転走行する競走用自動車や、スポーツカータイプ等の自動車を安全に運転走行するために、乗車者の頭部を車両用シートのシートバックに固定した状態で身体姿勢を保持するために、シートバックの上端方向で乗車者の頭部を両側方向から挟み付けて固定できるようなヘッドガードを設けた特別の車両用シートは、自動車サーキット場において、自動車競争レースの競技として或いは、趣味や娯楽として速度制限無く自動車の安全な運転走行には、必要な設備ではあるが、道路交通法が適用される一般の公の道路上を走行する自動車等の一般車両には、
この様なヘッドガートが設けられた特別の車両用シートは、自動車を操縦する運転者の頭部を固定してしまう結果、一般の公の道路上を自動車を安全に運転走行するためには、前後方向のみでなく左右両側方向や斜め前後方向等を含めた、あらゆる全方向に視線と注意を配ることが不可欠であり、これが阻害されると安全な運転が不可能となり、このようにヘッドガートが左右方向の視野を奪うことになるために、ヘッドガードを設けた特別の車両用シートは、車両保安基準等の法規基準により不適合とされ、道路交通法が適用される一般の公の道路上を走行することが禁止されているために、この種の競走用自動車や、スポーツカータイプ等の自動車を、自動車サーキット場においても、道路交通法が適用される一般の公の道路においても、自動車を安全かつ適法に運転走行するためには、車両保安基準等の法規基準に適合した通常の車両用シートと、ヘッドガードを設けた特別の車両用シートとを、予め別個に準備しておき、当該自動車を運転走行せしめる場所、すなわち、一般の公の道路なのか自動車サーキット場なのかに応じて、その都度いちいちヘッドガードを設けた特別の車両用シートと、通常の車両用シートとを、自動車に取り替えて取付けなければならず、この車両用シートの取り替え取付け作業が相当熟練の技術を要するという問題があった。
【０００４】
またヘッドガードを設けた特別の車両用シートを自動車等の車両用シートとして配設したままで、そのまま自動車サーキット場から、道路交通法が適用される一般の公の道路上を走行することは、道路交通法や車両保安基準等の法規基準に抵触するものとして禁止されているものであるが，専門業者や特殊技能者が取り扱い走行せしめる競走用自動車においては、作業技術にも相当の熟練を有しているから，車両用シートの取替え作業をその都度行なうことにも殆んど問題はないが、自動車サーキット場において、主としてカーマニア等が趣味や娯楽としてスポーツカータイプ等の自動車を、速度制限無く自動車を安全に運転走行する場合には、ヘッドガードを設けた特別の車両用シートを、予め別個に準備して置くことは、過大な経費を要し、装備の保管管理や保管場所を要し、その都度いちいち車両用シートを、通常の車両用シートとヘッドガードを設けた特別の車両用シートとを、取替えて取付固定する相当熟練を要する作業が必要となるという問題があり，このために、自動車サーキット場において安全を無視して、ヘッドガードの設備がない通常の車両用シートのままで、速度の制限無く運転走行したり、或いは、一旦、取り替えて取り付けたヘッドガードを設けた特別の車両用シートを配設したままで、そのまま自動車サーキット場から、道路交通法が適用される一般の公の道路上を走行するという不法行為を誘発し，その結果、しばしば、重大な自動車事故を引き起こしたり、交通渋滞を惹起する原因となっているという問題があった。
【０００５】
このような、車両用シートにおいては、スポーツカータイプ等の自動車や、競走用自動車を自動車サーキット場において、速度制限無く自動車を安全に運転走行するために操縦者を含めた乗車者が頭部を車両用シートのシートバックに固定した状態で身体姿勢を保持することができるヘッドガードの設備が要求されるために、シートバックの上端方向に乗車者の頭部の両側面に対応した位置で、乗車者の頭部を両側方向から挟み付けて固定できるようなヘッドガードを設けた特別の車両用シートを、道路交通法が適用される道路上を走行することができるようにヘッドガードを設けていない車両用シートに、いちいち取替えて取付け取外すことなく、単に、運転者の視野を妨げるヘッドガードのみを簡単に取外すのみで、そのまま車両保安基準等の法規基準に適合した車両用シートとして、利用することがでるようにした車両用シートは、全く提供されていないという問題があった。
【特許文献１】特許第３５１８８２８号
【考案の開示】
【考案が解決しようとする課題】
【０００６】
解決しようとする問題点は，自動車のうち運転室に走行方向に向かって左右方向に併設されたツーシートタイプのスポーツカー等の自動車や競争用自動車を、自動車サーキット場においても、道路交通法が適用される公の道路においても，安全かつ適法に運転走行させることができるようにするめには、車両用シートを、ヘッドガードを設けた特別仕様の車両用シートと、ヘッドガードを設けていない通常の車両用シートとを、いちいちその都度取替えなければならないという点である。
【０００７】
本考案は従来技術における課題を、スポーツカータイプ等の自動車や、競走用自動車に配設された車両保安基準等の法規基準に適合した車両用シートに、乗車者の頭部の左右両側方向から緩く挟み付けるようにヘッドガードを、車両用シートのシートバックの上端方向に取付固定自在に着脱可能に取付けることにより、解決することができる車両用シートのヘッドガードを提供することである。
【課題を解決するための手段】
【０００８】
上記課題を解決するため、本願考案は、スポーツカータイプ等の自動車や、競走用自動車に配設される車両用シートの乗車者の頭部の左右両側方向に対応する位置に、ヘッドガードを、該車両用シートのシートバックの上端方向に取付固定自在に着脱可能に取付けることができるように形成したことを特徴としている。
【０００９】
請求項１記載の考案によれば、
ヘッドガードが、車両用シートのシートバッグの上端方向における乗車者の頭部の両側方向に対応する位置に取付固定自在かつ着脱可能に設けたことにより、ヘッドガードが乗車者の頭部を左右両側方向から挟んだ状態に保護することができるので、自動車サーキット場において、そのまま速度の制限無く自由かつ安全に運転走行できると共に、ヘッドガードのみが、車両用シートのシートバッグに着脱可能に設けられているから、該ヘッドガードを取外せば、車両保安基準等の法規に適合した車両用シートとして、そのまま道路交通法が適用される公の道路を，安全かつ適法に運転走行することが実現できる。
【００１０】
請求項２記載の考案によれば、
ヘッドガードの両端部が、車両用シートのシートバッグから乗車者の顔面と略同位置か、若しくは、若干顔面より前方の位置まで突出せしめてなるものであるから、ヘッドガードが乗車者の頭部を左右両側方向から完全に防護することができ、走行する自動車が相互に衝突したり、障害物や自動車が相互に接触したり、転倒する等の事故が発生しても、乗車者の頭部の完全な防護が実現できる。
【００１１】
請求項３記載の考案によれば、
ヘッドガードにより乗車者の頭部の両側方向ら緩く挟み付けて保護するものであるから、乗車して走行する自動車が万一事故が発生しても、乗車者の頭部は、ヘッドガードに緩く挟み付けられているれから、頭部はヘッドガードから容易に外方へ飛び出す恐れが無く、高い安全性の確保が実現できる。
【００１２】
本考案の車両用シートのヘッドガードの請求項４記載によれば、
ヘッドガードが、車両用シートのシートバッグを外側方向から挟み込む状態に嵌合されているから、ヘッドガードを車両用シートへ取付固定するための着脱が、簡単に実現できる。
【００１３】
請求項５記載の考案によれば、
ヘッドガードが、全体の形状を略Ｕ字型に形成し、その全周側縁に補強リブ体をと突周設してなるものであるから、ヘッドガードの強度がその分大きくなり、より一層安全なヘッドガードが実現できる。
【００１４】
本考案の車両用シートのヘッドガードの請求項６記載によれば、
シートバックの外側面に固定用ボルトを突設し、ヘッドガードに穿孔したボルト挿入孔に固定用ボルトを挿入して、固定用ボルトにナットを締め付けて固定するものであるから、ヘッドガードを車両用シートのシートバッグに確実かつ強固に取付固定でき、またヘッドガードの着脱が、単に、固定用ボルトにナットを螺合し、或いは螺脱するのみで簡単に実現できる。
【００１５】
請求項７記載の考案によれば、
シートバックに突設した固定用ボルトが、取付用凹部に突設され、ヘッドガードの対向側面に中心方向にボルト挿入孔を穿孔した嵌合凹部を設けて、シートバックの取付用凹部に、ヘッドガードの嵌合凹部を嵌合して密着し、固定用ボルトをボルト挿入孔に挿入して、固定用ボルトにナットを締め付けて固定するものであるから、ヘッドガードの車両用シートへの取付作業が簡単にでき、ヘッドガードか車両用シートに強固にかつ確実に取付固定自在に着脱可能に実現できる。
【００１６】
請求項８記載の考案によれば、
固定用ボルトに締め付け固定自在かつ着脱可能に設けたナットが、袋ナットであり、かつ、ヘッドガードに凹設した嵌合凹部から、該袋ナットが突出しないように設けているから、車両用シートのシートバックにヘッドガードを取付固定した袋ナットが嵌合凹部から外方へ突出することがないので、違和感もなく、かつ、袋ナットがヘッドガードの外側面の外方へ突出しないから、袋ナットが乗車者に接触したり、車両用シートの取替作業の支障にならず、より一層高い安全性が実現できる。
【００１７】
請求項９記載の考案によれば、
シートバックに突設した固定用ボルトが、ボルトの頭部に一体に設けた埋設固定用平板体がシートバックの肉厚内に一体に埋設固定されているから、固定用ボルトをヘッドガードのボルト挿入孔に挿入して、該固定用ボルトにナットを強力に締め付けて固定しても、締め付け作業によっても、固定用ボルトが回転するようなことがないので、より一層強力な締め付け固定が実現できる。
【００１８】
請求項１０記載の考案によれば、
ヘッドガードが、金属製の全体を略Ｕ字型に形成した棒状体としたから、ヘッドガードが強靱で安全性が高く製造が比較的容易に、かつ、安価に提供することが実現できる。
【００１９】
請求項１１記載の考案によれば、
ヘッドガードの両端方向に貫通溝又は複数の透孔を穿孔したから、ヘッドガードを取付固定した車両用シートにおいても、ヘッドガードにより乗車者の頭部を両側方向から挟み付けるように緩く固定し、自動車サーキット場における運転走行の際にも，ヘッドガードの両端方向に穿孔した貫通溝又は透孔を介して左右両方向への視野の確保が実現できる。
【考案の効果】
【００２０】
本考案の車両用シートのヘッドガードは、ヘッドガードを車両用シートに取付固定自在に着脱可能に設けたから、自動車サーキット場でも一般の公の道路であろうと、運転走行する場所に対応した自動車の車両用シートとして、その都度車両用シートをいちいち取り替える必要がなく、単に、車両用シートにヘッドガードのみを取付固定自在に着脱するのみで、一般の公の道路を適法かつ安全に運転走行できると共に、自動車サーキット場においても、速度の制限等も受けずに高速度で安全に運転走行できるという利点がある。
【００２１】
本考案の車両用シートのヘッドガードは、ヘッドガードを車両用シートのシートバッグに外側方向から嵌合して取付固定自在かつ着脱可能に設けたものであるから、車両保安基準等の法基準に適合した車両用シートと、ヘッドガードを設けた特別の車両用シートを、予め各々別個に準備しておき、運転走行する場所に対応してその都度取り替える必要もなく、しかも、ヘッドガードを取付固定自在に着脱するのみであるから、運転走行する場所に応じた安全で適法な車両用シートとして運転走行が可能となる利点がある。
【００２２】
また本考案の車両用シートのヘッドガードは、シートバッグに中心方向に固定用ボルトを突設した取付用凹部を設け、該取付用凹部に対応した位置において、ヘッドガードの両側面に中心方向にボルト挿通孔を穿孔した嵌合凸部と嵌合凹部とを設けて、ヘッドガードの嵌合凸部をシートバッグの取付用凹部に嵌合して密着せしめて、固定用ボルトをボルト挿通孔に挿入してナットを締め付け固定するものであるから、ヘッドガードが、シートバッグに完全に密着して確実に固定されるから、衝突事故等の強大な衝撃力が加わっても、ヘッドガードが車両用シートのシートバックから脱落する恐れが無く、自動車の乗車者の安全を確実に確保することができる優れた利点がある。
【考案を実施するための最良の形態】
【００２３】
本考案は、スポーツカータイプ等の自動車や、競走用自動車に配設された車両保安基準等の法規基準に適合した車両用シートのシートバックの上端方向における乗車者の頭部の左右両側方向に対応した位置に、乗車者の頭部の左右両側方向から緩く挟み付けるようにヘッドガードを取付固定自在に着脱可能に取付けることにより、車両保安基準等の法規に適合した車両用シートを配設した自動車のみが適法に運転走行できる道路交通法が適用される公の道路でも、自動車を速度の制限無く高速度で運転走行できる自動車サーット場においても、スポーツカータイプ等の自動車や、競走用自動車を運転走行する場所に対応して車両用シートを、その都度取り替える必要もなく、ヘッドガードを車両用シートに着脱するのみで、適法にかつ安全に運転走行することが実現した。
【００２４】
以下、図を参照して本考案を実施するための最良の形態を説明する。
図１〜図１５は本考案の車両用シートのヘッドガードの一実施例を示す図である。
【００２５】
スポーツカータイプの自動車や競争用自動車を、自動車サーキット場においても、道路交通法が適用される公の道路においても、いちいちその都度、車両用シートを取替えなくてもそのままで、安全かつ適法に運転走行することができるようにするという目的を、単に、ヘッドガードを車両用シートのシートバックに取付固定自在に着脱可能に設けることにより実現した。
【実施例１】
【００２６】
図１は、本考案の車両用シートのヘッドガードーの１実施例を示す斜視図であって、図２は図１における車両用シートのヘッドガードーの背面方向の斜視図であり、図３は図２の要部の拡大図であり、図４と図５とは，ヘッドガードの１実施例を示す斜視図であって
、図６は、図４の要部の拡大断面図、図７は本考案の車両用シートのヘッドガードーから、ヘッドガードを取外した状態の車両用シートの背面方向の斜視図であり、第８図は、図７のＡーＡ線の拡大断面図でり、第９図は、図４のＢーＢ線の拡大断面図でり、図１０は車両用シートのシートバックにヘッドガードーを取付固定手段たるボルトとナットとの螺
合状態を示すための分解した斜視図である。
【００２７】
本考案の車両用シートのヘッドガードーは，略Ｕ字型に形成したヘットガード３を図１及び図２に示す如く、車両用シート１のシートバック２の上端方向において、外側方向から嵌合し、自動車の運転者や同乗者の乗車者が、車両用シートに着席すると、シートバック２に取付固定自在で着脱可能に設けられた該ヘットガード３が、乗車者の頭部を左右両側方向から緩く挟み付けるように頭部を固定し、該ヘットガード３の両端方向は、乗車者の顔面の前部と略同位置になるように設けられている。
【００２８】
ヘッドガード３は、ＡＢＳアクリルニトリル・ブタジエン・スチレン共重合樹脂）樹脂その他の強靭な硬質プラスチック製の平板体により、略Ｕ字型に形成し，かつ、その耐衝撃性や強度性を強化するために、該ヘッドガード３の全周側縁には、断面略円形の棒状体の補強用リブ体４を周設し、全体の断面構造を断面コ字状の形成し、該ヘッドガード３のシートバック２への嵌合方向たる内側面５の全面には、ウレタンフォーム等の柔軟で弾力性を有するプラスック樹脂製やゴム又は綿花等からなる緩衝材６を内蔵して張着し、その外側面から、繊維布と軟質プラスチックシートを一体にラミネートした防水布のレザーシートや、布の全表面に立毛を設けた起毛シート等の相当な強靱性を有する織布又は不織布や皮革等からなる外装皮材７を張設したものであり、該ヘッドガード３は、車両用シート１のシートバック２の上端方向に嵌合して着脱可能に取付固定されている。
【００２９】
ヘッドガード３を、車両用シート１のシートバック２へ着脱可能にかつ取付固定自在にする取付固定手段には、シートバック２の肉厚内に頭部を一体に埋設して突設した固定用ボルト８を、ヘッドガード３の前記シートバック２に突設した固定用ボルト８と対向位置に穿孔したボルト挿入孔９に挿入してナット１０を締付け取付固定するものである。
【００３０】
また、ヘッドガード３を、車両用シート１のシートバック２へ着脱可能にかつ取付固定自在に、しかも、ヘッドガード３がシートバック２に衝突事故や接触事故そのた不測の事態により強い衝撃や振動等が加わっても、確実にかつ強固に一体に取付固定されて保持できるように、車両用シート１のシートバック２の背面方向たる外側面１１の上端方向の一部を略球面状に凹設した取付用凹部１２を３個を両端方向とその略中央上方に凹設し、該取付用凹部１２の３個に対応する位置のヘッドガード３の取付方向たる内側面５には、該取付用凹部１２に嵌合して密着可能なように略球面状に突設した嵌合凸部１３を３個を設け、ヘッドガード３の３個の嵌合凸部１３を、シートバック２の３個の取付用凹部１２に嵌合して密着せしめ、前記シートバック２の取付用凹部１２の中心部方向に突設した固定用ボルト８を、ヘッドガード３の嵌合凸部１３の中心部方向に穿孔したボルト挿入孔９に挿入して、該固定用ボルト８にナット１０を締付け固定するものである。
この場合、ヘッドガード３の嵌合凸部１３を突設した内側面５の対向方向たる外側面１４には、前記嵌合凸部１３と同一形状に凹設した嵌合凹部１５を３個を形成し、該嵌合凹部１５のボルト挿入孔９から突出した固定用ボルト８に、袋ナットに形成したナット１０を締付け固定し、かつ、袋ナットに形成したナット１０の外側面が、ヘッドガード３の嵌合凹部１５から外方に突出しないように締付け固定するものである。
【００３１】
このように、ヘッドガード３を、車両用シート１のシートバック２への着脱可能にかつ取付固定が、シートバック２の取付用凹部１２にヘッドガード３の嵌合凸部１３を嵌合して密着せしめて、固定用ボルト８とナット１０とにより締付け固定したものであるから、ヘッドガード３が、車両用シート１のシートバック２に完全に密着して一体に取付け固着され、衝突事故や接触事故そのた不測の事態により強い衝撃や振動等が加わっても、確実にかつ強固に一体に取付固定されて保持され、ヘッドガード３が、車両用シート１のシートバック２から脱落する恐れがないという効果があり、しかも、ヘッドガード３を、車両用シート１のシートバック２へ取付け固定する作業も、単に、シートバック２の取付用凹部１２にヘッドガード３の嵌合凸部１３を、合わせながら嵌合して密着し、固定用ボルト８とナット１０とにより締付け固定することにより簡単にできるという効果がある。
【実施例２】
【００３２】
図１１に示す如く、車両用シート１のシートバック２の上端方向に外側方向から、取付固定自在で着脱可能に設けた略Ｕ字型のヘッドガード３は、その両端方向を複数に分割し、乗車者が左右方向への視野がある程度は確保できるように、該ヘッドガード３の先端から適宜の長さと幅を有する透孔を有する貫通溝１７を穿設することができる。
このように、ヘッドガード３の視野を妨げる両端方向を複数に分割して、乗車者が該ヘッドガード３を介して左右方向への視野がある程度は確保できるように、該ヘッドガード３の先端から適宜の長さと幅を有する透孔を有する貫通溝１７を穿設したものであるら、ヘッドガード３があっても、ある程度は乗車者が左右方向への視野が確保できるという効果がある。
【実施例３】
【００３３】
図１２に示す如く、車両用シート１のシートバック２に、取付固定自在で着脱可能に設けたヘッドガード３は、乗車者が左右方向への視野がある程度は確保できるように、その両端方向の適宜の位置に適宜の大きさを有する覗見用透孔１８各１個毎又は複数個を穿孔することがでる。
このように、ヘッドガード３の視野を妨げる両端方向に各１個毎又は複数個の覗用透孔１８を穿孔して、乗車者が該ヘッドガード３の覗見用透孔１８を介して左右方向への視野が確保できるように設けたものであるら、ヘッドガード３があっても、ある程度は乗車者が左右方向への視野が確保でき、しかも、ヘッドガード３の強度を著しく低下させる恐れがないという効果がある。
【実施例４】
【００３４】
図１３に示す如く、ヘッドガード３は、略Ｕ字型に形成した強靭な硬質プラスチック製の平板体に代えて、強靱性を有する金属中空管体により棒状体とし、全体を略Ｕ字型に形成しその全周面に緩衝材を巻装着した金属中空管体製の棒状体ヘッドガード１９とすることができる。
このように、ヘッドガード３を金属中空管体製の棒状体ヘッドガード１９とすれば、強靱性を有し比較的安価で構造のシンプルなヘッドガード３を提供することができるという効果がある。
【実施例５】
【００３５】
ヘッドガード３を、車両用シート１のシートバック２へ着脱可能にかつ取付固定自在にする取付固定手段としては、シートバック２に埋設し突設した固定用ボルト８を利用して、該固定用ボルト８をヘッドガート３に貫通し、該固定用ボルト８とナット１０とによりを締付け固定する取付固定手段に代えて、あらゆる取付固定手段が適用できるが、例えば、図１４、図１５に示すようにカギの手型に形成した嵌合係止体２０と嵌合係止体２１とを相互に逆方向から噛み合うように嵌合して、固定用ボルト２２とナット２３又は蝶ネジ等により締め付け固定することも可能である。
【産業上の利用可能性】
【００３６】
本考案の車両用シートのヘッドガードは、車両保安基準に適合するものとして道路交通法が適用される公の道路を安全に運転走行することが認められた通常の車両用シートに、ヘッドガードを取付固定自在に着脱可能に設けたものであるから、自動車サーキット場を速度の制限無く運転走行する競走用自動車やスポーツカータイプの自動車ばかりでなく、あらゆる用途の一般車両を公の道路以外の自動車サーキット場や試走場やその他の場所で運転走行する場合にも利用できる。
【００３７】
さらに考案はの車両用シートのヘッドガードは、乗車者の頭部を左右両側方向から緩く挟み付けるようにして乗車者の頭部を固定するものであるから、自動車等の一般車両を公の道路で運転走行する場合に、運転操縦者以外の同乗者の車両用シートとして利用することができ、特に、乳幼児や身体障害者等を同乗する場合には、むやみに、乳幼児や身体障害者等が車両用シートの座席から飛び出さないように頭部を含む身体を固定できるので、より安全に自動車を走行するためにも利用できるものである。
【図面の簡単な説明】
【００３８】
【図１】本考案を適用した実施例１における車両用シートのヘッドガードの斜視図である。
【図２】図１の車両用シートのヘッドガードの背面方向の斜視図である。
【図３】図２にけるの車両用シートのヘッドガードの要部拡大の斜視図である。
【図４】ヘッドガードの正面方向の斜視図である。
【図５】ヘッドガードの背面方向の斜視図である。
【図６】図５の取付固定の状態を示す要部拡大の斜視図である。
【図７】ヘッドガードを取り外した状態の車両用シートの背面方向の斜視図である。
【図８】図７のＡーＡ線の断面図である。
【図９】図４のＢーＢ線の断面図である。
【図１０】図６におけるボルトとナットによる取付固定の状態における組立分解の斜視図である。
【図１１】本考案の車両用シートのヘッドガードの他の実施例を示す要部拡大図である。
【図１２】本考案の車両用シートのヘッドガードの他の実施例を示す要部拡大図である。
【図１３】本考案の車両用シートのヘッドガードの他の実施例を示す斜視図である。
【図１４】シートバッグにヘッドガードを取付固定する手段の他の実施例を示す要部拡大断面図である。
【図１５】図１４におけるボルトとナットによる組立分解の状態を示す斜視図である。
【符号の説明】
【００３９】
１      車両用シート
２      シートバッグ
３      ヘッドガード
４      補強用リブ体
５      ヘッドガードの内側面
６      緩衝材
７      外装皮材
８      固定用ボルト
９      ボルト挿入孔
１０    ナット
１１    シートバッグの外側面
１２    取付用凹部
１３    嵌合凸部
１４    ヘッドガードの外側面
１５    嵌合凹部
１６    車両用シートの内側面
１７    貫通溝
１８    覗見用透孔
１９    棒状体ヘッドガード
２０    嵌合係止体
２１    嵌合係止体
２２    固定用ボルト
２３    ナット
【図１】
0003108274.tif 000003
【図２】
0003108274.tif 000004
【図３】
0003108274.tif 000005
【図４】
0003108274.tif 000006
【図５】
0003108274.tif 000007
【図６】
0003108274.tif 000008
【図７】
0003108274.tif 000009
【図８】
0003108274.tif 000010
【図９】
0003108274.tif 000011
【図１０】
0003108274.tif 000012
【図１１】
0003108274.tif 000013
【図１２】
0003108274.tif 000014
【図１３】
0003108274.tif 000015
【図１４】
0003108274.tif 000016
【図１５】
0003108274.tif 000017